(57)【要約】      （修正有）【課題】飲料自動販売機の商品見本にＰＯＰを装着する際の労働負担を軽減し、さらにＰＯＰとしての効果を高めた商品見本用ＰＯＰを提供する。【解決手段】表裏一体のフィルムシート材で作成され、オフセット印刷を用いて絵や文字、写真などを印刷することが出来る広告掲載部とその下辺に接する状態で作成された飲料自販機の商品見本に装着した場合に脱落を防止する部分は、長辺が広告掲載部分の約２倍、短辺が約２分の１の形状をしており、短辺が分離しない程度に中心部に切り込みが入り短辺を上部と下部に分割している。この分割された２部分の一方が飲料自販機商品見本を表側から、他方が飲料自販機商品見本の裏側から飲料自販機商品見本を固定することで、飲料自動販売機の広告掲載部分の脱落を防ぐ構造をもつ。【選択図】図１
0003149004.tif 000002
【実用新案登録請求の範囲】
【請求項１】
飲料自販販売機の商品見本への取り付けを容易にし、かつ脱落を防止する構造を持つフィルムシート材料に、オフセット印刷を用いて絵や文字、写真などを印刷することを可能とする飲料自動販売機の商品見本用ＰＯＰ
【請求項２】
あらかじめ飲料自販機の商品見本に装着しても脱落することなく、自販機における商品見本入れ替えの作業を向上させる効果を持つ、フィルムシート材料にオフセット印刷を用いて絵や文字、写真などを印刷した請求項１に記載の飲料自動販売機の商品見本用ＰＯＰ
【考案の詳細な説明】
【技術分野】
【０００１】  本考案は主として、フイルムシート材料を用い、印刷によって絵や文字、写真などを印刷した飲料自動販売機の商品見本用ＰＯＰである。
【背景技術】
【０００２】  従来の商品見本用ＰＯＰは商品見本にＰＯＰを固定させるためには、ＰＯＰ自体がロック構造を付加せねばならず、作業が複雑化していた。【０００３】従来の商品見本用ＰＯＰは商品見本にあらかじめ装着した状態で遠隔地へ輸送する場合、ＰＯＰ自体が商品見本から脱落しないように商品見本とＰＯＰ双方ににロック構造を付加せねばならず、製作コストを抑えることが難しかった。
【考案が解決しようとする課題】
【０００４】  従来の飲料自動販売機の商品見本用ＰＯＰは、商品見本とＰＯＰとの接触部分が少なかった、しかし、広告効果を成立させるためには商品への固定の確実性を犠牲にせざるを得なかった。従って、商品見本とＰＯＰとの接触部分の面積を広くし、固定部分をＰＯＰの形状の一部として作成することで、固定精度の向上と広告機能の両立を図るものである。
【０００５】  少なからずプラスチック製品は廃棄処理の段階で環境に負荷をかけてしまうという課題を持っているが、本考案である飲料自動販売機の商品見本用ＰＯＰの材料シート素材を再生樹脂材料もしくはトウモロコシ等から製造されるＰＬＡ《ポリ乳酸》を主原料とした生分解性プラスチック材料を使用して作成することで環境負荷の課題を解決することができる。
【課題を解決するための手段】
【０００６】  トムソン型で抜き加工を施した、ＰＯＰの広告掲載部分の下部に商品見本への固定用のスペースを設ける。その部分は同様にトムソン加工で短辺を等分する位置に切り込みを施し、この切り込みを拡げ、飲料自販機の商品見本自体にかぶせるように通過させることで切り込みを入れた箇所から上半分と下半分が飲料自販機の商品見本を商品の表裏から同時に固定することを可能とする。
【考案実施の形態】
【０００７】  図１は本考案の飲料自動販売機の商品見本用ＰＯＰ（１）の視図である。図１で飲料自動販売機の商品見本用ＰＯＰ（１）の広告掲載部分（２）に接する下部分は切り込み（３）を中心に上部（４）下部（５）に分割されている。
【０００８】  図２は本考案の飲料自動販売機の商品見本用ＰＯＰ（１）の斜視図である。図１で飲料自動販売機の商品見本用ＰＯＰ（１）に施された切り込み（３）を中心に分割された上部（４）下部（５）は図２のように輪形状を形成する。
【０００９】  図３は飲料自動販売機の商品見本用ＰＯＰ（１）を図２の用に輪形状にしたものを飲料自販機商品見本に装着した時の視図である。切り込み（３）を中心に分割された部分（４）（５）は部分（４）が飲料自販機商品見本の表側から、部分（５）が飲料自販機商品見本の裏側から飲料自販機商品見本を固定することで、飲料自動販売機の商品見本用ＰＯＰ自体の脱落を防ぐ構造となる。
【図面の簡単な説明】
【００１０】
【図１】飲料自動販売機の商品見本用ＰＯＰの視図。
【図２】図１の飲料自動販売機の商品見本用ＰＯＰの斜視図。
【図３】図１の飲料自動販売機の商品見本用ＰＯＰを装着時の視図。
【符号の説明】
【００１１】１  飲料自動販売機の商品見本用ＰＯＰ
２  広告等掲載部分
３  切り込み
４  固定部上部
５  固定部下部
６  飲料自動販売機の商品見本
【図１】
0003149004.tif 000003
【図２】
0003149004.tif 000004
【図３】
0003149004.tif 000005
【手続補正書】
【提出日】平成20年7月23日(2008.7.23)
【手続補正１】
【補正対象書類名】実用新案登録請求の範囲
【補正対象項目名】全文
【補正方法】変更
【補正の内容】
【実用新案登録請求の範囲】
【請求項１】
表裏一体のフィルムシート材で作成され、オフセット印刷を用いて絵や文字、写真などを印刷することが出来る広告掲載部とその下辺に接する状態で作成された飲料自販機の商品見本に装着した場合に脱落を防止する部分は、長辺が広告掲載部分の約２倍、短辺が約２分の１の形状をしており、短辺が分離しない程度に中心部に切り込みが入り短辺を上部と下部に分割している。この分割された２部分の一方が飲料自販機商品見本を表側から、他方が飲料自販機商品見本の裏側から飲料自販機商品見本を固定することで、飲料自動販売機の広告掲載部分の脱落を防ぐ構造をもつ飲料自動販売機の商品見本用ＰＯＰ。
【請求項２】
分割された２部分の一方が飲料自販機商品見本を表側から、他方が飲料自販機商品見本の裏側から飲料自販機商品見本を固定することで、飲料自動販売機の広告掲載部分の脱落を防ぐ構造をもつ飲料自動販売機の商品見本用ＰＯＰはあらかじめ飲料自販機の商品見本に装着しても脱落することがないために、通常は、飲料自動販売機の商品見本を自販機に設置し固定してから行っていた自販機における商品見本の入れ替えの作業を向上させる効果を持つ請求項１に記載の飲料自動販売機の商品見本用ＰＯＰ。
【手続補正３】
【補正対象書類名】図面
【補正対象項目名】図２
【補正方法】変更
【補正の内容】
【図２】
0003149004.tif 000006
【手続補正書】
【提出日】平成20年10月22日(2008.10.22)
【手続補正１】
【補正対象書類名】実用新案登録請求の範囲
【補正対象項目名】全文
【補正方法】変更
【補正の内容】
【実用新案登録請求の範囲】
【請求項１】
表裏一体のフィルムシート材で作成され、オフセット印刷を用いて絵や文字、写真などを印刷することが出来る広告掲載部とその下辺に接する状態で作成された飲料自販機の商品見本に装着した場合に脱落を防止する部分は、長辺が広告掲載部分の約２倍、短辺が約２分の１の形状をしており、短辺が分離しない程度に中心部に切り込みが入り短辺を上部と下部に分割されており、この分割された２部分の一方が飲料自販機商品見本を表側から、他方が飲料自販機商品見本の裏側から飲料自販機商品見本を固定することで、飲料自動販売機の広告掲載部分の脱落を防ぐ構造をもつ飲料自動販売機の商品見本用ＰＯＰ。
【請求項２】
分割された２部分の一方が飲料自販機商品見本を表側から、他方が飲料自販機商品見本の裏側から飲料自販機商品見本を固定することで、飲料自動販売機の広告掲載部分の脱落を防ぐ構造をもつ飲料自動販売機の商品見本用ＰＯＰはあらかじめ飲料自販機の商品見本に装着しても脱落することがないために、通常は、飲料自動販売機の商品見本を自販機に設置し固定してから行っていた自販機における商品見本の入れ替えの作業を向上させる効果を持つ請求項１に記載の飲料自動販売機の商品見本用ＰＯＰ。